(57)【要約】【課題】本発明の目的は、ケーブルと短冊体との間の小さな隙間を塞ぐことができる閉塞装置を提供することである。【解決手段】閉塞装置は、筐体１に形成された開口部２の開口方向から見て開口部２に重なる位置に移動可能である複数の短冊体と、複数の短冊体の厚さよりも細く形成され、移動可能に複数の短冊体の１つに支持され、開口部２の開口方向から見て開口部２を通るケーブル３と複数の短冊体との間の空間に重なる位置に移動可能である無数の塞ぎ棒１０と、を備えたものである。【選択図】図１０
2015122436.tif 000002
【特許請求の範囲】
【請求項１】
筐体に形成された開口部の開口方向から見て前記開口部に重なる位置に移動可能である複数の短冊体と、
複数の前記短冊体の厚さよりも細く形成され、移動可能に複数の前記短冊体の１つに支持され、前記開口部の開口方向から見て前記開口部を通るケーブルと複数の前記短冊体との間の空間に重なる位置に移動可能である無数の棒状体と、
を備えた閉塞装置。
【請求項２】
前記開口部の開口方向から見て前記開口部の一縁部に沿って設けられ、複数の前記短冊体の一端部を移動可能に支持する第１レールと、
前記開口部の開口方向から見て前記開口部の他縁部に沿って設けられ、複数の前記短冊体の他端部を移動可能に支持する第２レールと、
を備え、
複数の前記短冊体は、前記第１レール及び前記第２レールに沿って並んで配置され、前記第１レール及び前記第２レールに沿って移動可能である請求項１に記載の閉塞装置。
【請求項３】
複数の前記短冊体は、
前記第１レール及び前記第２レールの一端部の側に支持され、前記開口部の開口方向から見て前記開口部の中央よりも一方側の範囲に重なる位置に移動可能な複数の第１短冊体と、
前記第１レール及び前記第２レールの他端部の側に支持され、前記開口部の開口方向から見て前記開口部の中央よりも他方側の範囲に重なる位置に移動可能な複数の第２短冊体と、
を備え、
無数の前記棒状体は、
複数の前記第１短冊体の１つに支持された無数の第１棒状体と、
複数の前記第２短冊体の１つに支持された無数の第２棒状体と、
を備えた請求項２に記載の閉塞装置。
【請求項４】
無数の前記第１棒状体は、複数の前記第１短冊体のうち１つのみに支持され、
無数の前記第２棒状体は、複数の前記第２短冊体のうち１つのみに支持された請求項３に記載の閉塞装置。
【請求項５】
複数の前記短冊体は、前記開口部の開口方向から見て前記ケーブルの周囲を覆うように前記筐体に取り付けられたケーブルカバーユニットに設けられた請求項１から４のいずれか１項に記載の閉塞装置。
【請求項６】
複数の前記短冊体及び無数の前記棒状体は、導体で形成された請求項１から５のいずれか１項に記載の閉塞装置。
【発明の詳細な説明】
【技術分野】
【０００１】
本発明は、閉塞装置に関するものである。
【背景技術】
【０００２】
下記特許文献１には、ケーブル導入口構造が記載されている。このケーブル導入口構造は、複数の短冊体を備えている。短冊体は、電子装置のケーブルを通すための開口部に設けられている。短冊体は、開口部を塞ぐように移動可能である。開口部の一辺の側には、ケーブルがまとめて配置される。短冊体は、当該一辺と対向する他辺の側から移動されることで、ケーブルに突き当てられる。これにより、開口部の各辺とケーブルとの間の隙間を小さくできる。
【先行技術文献】
【特許文献】
【０００３】
【特許文献１】特開平３−１４２８９７号公報
【特許文献２】実開平３−３７８１号公報
【発明の概要】
【発明が解決しようとする課題】
【０００４】
特許文献１に記載のケーブル導入口構造では、ケーブルに短冊体を突き当てることで、ケーブルと開口部の縁部との間の隙間を小さくする。しかしながら、当該ケーブル導入口構造では、ケーブルと短冊体との間の小さな隙間を塞ぐことができない。
【０００５】
本発明は、上記のような課題を解決するためになされた。その目的は、ケーブルと短冊体との間の小さな隙間を塞ぐことができる閉塞装置を提供することである。
【課題を解決するための手段】
【０００６】
本発明に係る閉塞装置は、筐体に形成された開口部の開口方向から見て開口部に重なる位置に移動可能である複数の短冊体と、複数の短冊体の厚さよりも細く形成され、複数の短冊体の１つに支持され、開口部の開口方向から見て開口部を通るケーブルと複数の短冊体との間の空間に重なる位置に移動可能である無数の棒状体と、を備えたものである。
【発明の効果】
【０００７】
本発明に係る閉塞装置において、棒状体は、ケーブルと短冊体との間の空間に重なる位置に移動可能である。このため、本発明によれば、無数の棒状体によってケーブルと短冊体との間の小さな隙間を塞ぐことができる。
【図面の簡単な説明】
【０００８】
【図１】本発明の実施の形態１における閉塞装置が適用される筐体を示す三面図である。
【図２】図１におけるケーブルカバーユニットの詳細を示す三面図である。
【図３】本発明の実施の形態１における閉塞装置を示す三面図である。
【図４】本発明の実施の形態１における閉塞装置のＵ字レールを示す三面図である。
【図５】本発明の実施の形態１における閉塞装置の短冊板を示す概略図である。
【図６】本発明の実施の形態１における閉塞装置の短冊板先端を示す三面図である。
【図７】本発明の実施の形態１における閉塞装置の塞ぎ棒を示す概略図である。
【図８】図３におけるＣ部を拡大した詳細図である。
【図９】本発明の実施の形態１における閉塞装置による開放動作を示す概略図である。
【図１０】本発明の実施の形態１における閉塞装置による閉塞動作を示す概略図である。
【図１１】本発明の実施の形態２における閉塞装置が適用される筐体を示す三面図である。
【図１２】本発明の実施の形態２における閉塞装置を示す三面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
本実施の形態における閉塞装置は、例えば、電子装置の筐体に対して適用される。以下、閉塞装置が機械室レスエレベーターの制御装置の筐体に対して適用される場合を例示する。機械室レスエレベーターの制御装置は、例えば、昇降路の内部等に設置される。
【００１１】
図１は、本実施の形態における閉塞装置が適用される筐体１を示す三面図である。図１では、左上側に正面図、右上側に側面図、左下側に平面図が示されている。図１の正面図は、側面図におけるＡ−Ａ断面を示している。
【００１２】
筐体１は、図示しない昇降路の内壁に設置されている。筐体１の底面には、開口部２が形成されている。本実施の形態において、開口部２の開口方向は、上下方向である。開口部２の縁部は、上下方向から見て左右方向が長辺となる長方形に形成されている。筐体１の内部は、開口部２を介して筐体１の外部と通じている。筐体１の内部には、開口部２を通ったケーブル３が引き込まれている。つまり、ケーブル３は、昇降路の内壁に沿って、筐体１から下方に延びるように設けられている。ケーブル３は、筐体１に収納された図示しない機械室レスエレベーターの制御装置に接続されている。
【００１３】
筐体１の下部には、ケーブルカバーユニット４が取り付けられている。ケーブルカバーユニット４は、例えば、電線余長の処理及び電線類の見栄え対策のために設けられる。ケーブルカバーユニット４は、上下方向が開放された角柱状に形成されている。ケーブルカバーユニット４は、上下方向から見て左右方向が長辺となる長方形に形成されている。ケーブルカバーユニット４は、上下方向から見て、開放された部分が開口部２全体と重なるように設けられている。ケーブルカバーユニット４は、上下方向から見て、ケーブル３の周囲を覆うように設けられている。つまり、ケーブル３は、開口部２及びケーブルカバーユニット４の内側を通っている。
【００１４】
図２は、図１におけるケーブルカバーユニット４の詳細を示す三面図である。図２では、左上側に正面図、右上側に側面図、左下側に平面図が示されている。
【００１５】
ケーブルカバーユニット４は、ケーブルカバー本体５及び前カバー６を備えている。前カバー６は、前方からケーブルカバー本体５に取り付けられている。ケーブルカバー本体５は、ケーブルカバーユニット４の左側面、右側面及び後面を形成している。前カバー６は、ケーブルカバーユニット４の前面を形成している。ケーブルカバーユニット４の左側面は、右側面と平行に対向している。ケーブルカバーユニット４の前面は、後面と平行に対向している。ケーブルカバーユニット４は、図示しないアタッチメント等により筐体１に固定されている。
【００１６】
図３は、本実施の形態における閉塞装置を示す三面図である。図３では、左上側に正面図、右上側に側面図、左下側に平面図が示されている。図３の正面図は、側面図におけるＡ−Ａ断面を示している。図３の側面図は、正面図におけるＢ−Ｂ断面を示している。
【００１７】
閉塞装置は、ケーブルカバーユニット４に取り付けられている。閉塞装置は、部品として２本のＵ字レール７を備えている。Ｕ字レール７は、水平部７ａ及び２つの垂直部７ｂを備えている。Ｕ字レール７には、２つの長穴が形成されている。Ｕ字レール７は、ケーブルカバーユニット４の内側に取り付けられている。Ｕ字レール７の２つの垂直部７ｂは、ケーブルカバーユニット４の左側面及び右側面に固定されている。２本のＵ字レール７は、上下方向から見て、ケーブルカバーユニット４の２つの長辺に沿って取り付けられている。つまり、２本のＵ字レール７は、上下方向から見て、開口部２の縁部のうち２つの長辺に沿って取り付けられている。このため、２本のＵ字レール７は、平行に対向して設けられている。
【００１８】
閉塞装置は、部品として複数の短冊体を備えている。短冊体は、金属等の導体で形成されている。閉塞装置は、短冊体として、複数の短冊板８を備えている。短冊板８の長手方向における端部は、図示しないストッパーにより、Ｕ字レール７の長穴に移動可能に取り付けられている。短冊板８の一端部は、一方のＵ字レール７に移動可能に支持されている。短冊板８の他端部は、他方のＵ字レール７に移動可能に支持されている。短冊板８は、長手方向において２本のＵ字レール７と直角に配置されている。このため、短冊板８は、２本のＵ字レール７に沿って左右に移動可能である。複数の短冊板８は、２本のＵ字レール７に沿って並んで配置されている。左側の長穴に取り付けられた短冊板８は、右側の長穴に取り付けられた短冊板８と平行に対向している。
【００１９】
閉塞装置は、短冊体として、２枚の短冊板先端９を備えている。短冊板先端９は、短冊板８と同様にして、２本のＵ字レール７に移動可能に支持されている。このため、短冊板先端９は、２本のＵ字レール７に沿って左右に移動可能である。一方の短冊板先端９は、正面図において右側に並んでいる短冊体の中で最も左側に配置されている。他方の短冊板先端９は、正面図において左側に並んでいる短冊体の中で最も右側に配置されている。つまり、短冊板先端９は、左右方向において、全ての短冊板８よりもＵ字レール７の中央部に近く配置されている。
【００２０】
閉塞装置は、部品として複数の棒状体を備えている。棒状体は、金属等の導体で形成されている。閉塞装置は、棒状体として、無数の塞ぎ棒１０を備えている。塞ぎ棒１０は、短冊板先端９に移動可能に支持されている。塞ぎ棒１０は、Ｕ字レール７と平行に短冊板先端９に支持されている。塞ぎ棒１０は、短冊板先端９の長手方向に対して直角に配置されている。無数の塞ぎ棒１０は、短冊板先端９の長手方向に沿って並んで配置されている。左側の短冊板先端９に支持された塞ぎ棒１０は、右側の短冊板先端９に支持された塞ぎ棒１０と対向している。
【００２１】
図４は、本実施の形態における閉塞装置のＵ字レール７を示す三面図である。図４では、左上側に正面図、右上側に側面図、左下側に平面図が示されている。
【００２２】
水平部７ａの左右方向における両端部は、垂直部７ｂの下端部に連続している。水平部７ａから垂直部７ｂに連続する部分は、緩やかに屈曲して形成されている。２つの垂直部７ｂは、平行に対向している。２つの垂直部７ｂは、同程度の長さに形成されている。
【００２３】
Ｕ字レール７に形成された２つの長穴は、上下方向から見て、水平部７ａの中央部の左右に形成されている。一方の長穴は、水平部７ａの中央部よりも左側の部分から左側の垂直部７ｂの上端部付近まで連続している。他方の長穴は、水平部７ａの中央部よりも右側の部分から右側の垂直部７ｂの上端部付近まで連続している。水平部７ａの中央部には、長穴は形成されていない。一方の長穴の左側の垂直部７ｂに形成されている部分は、他方の長穴の右側の垂直部７ｂに形成されている部分と平行に対向している。
【００２４】
図５は、本実施の形態における閉塞装置の短冊板８を示す概略図である。図５では、上側に正面図、下側に平面図が示されている。
【００２５】
短冊板８は、板状に形成されている。短冊板８は、正面図に示すように、左右方向の両端部が丸みを帯びるように形成されている。つまり、短冊板８は、短手方向の両端部が丸みを帯びるように形成されている。このため、隣り合って配置された短冊板８同士は、隙間なく接することが可能である。
【００２６】
図６は、本実施の形態における閉塞装置の短冊板先端９を示す三面図である。図６では、左上側に正面図、右上側に側面図、左下側に平面図が示されている。
【００２７】
短冊板先端９は、板状に形成されている。短冊板先端９は、短冊板８よりも上下方向に長く形成されている。つまり、短冊板先端９は、短冊板８よりも厚く形成されている。
【００２８】
短冊板先端９には、無数の丸穴が形成されている。丸穴の径は、短冊板先端９の厚さよりも小さく形成されている。平面図に示すように、丸穴は、短冊板先端９の左右方向に貫通している。つまり、丸穴は、短冊板先端９の短手方向に貫通している。側面図に示すように、丸穴は、短冊板先端９の長手方向に沿って隙間なく並んでいる。丸穴は、上下方向において、短冊板先端９の厚さの中心よりも下側に位置している。
【００２９】
図７は、本実施の形態における閉塞装置の塞ぎ棒１０を示す概略図である。塞ぎ棒１０は、細い棒状に形成されている。塞ぎ棒１０は、短冊板先端９の丸穴の径よりも細く形成されている。塞ぎ棒１０の一端は、丸みを帯びるように折り曲げられている。
【００３０】
図８は、図３におけるＣ部を拡大した詳細図である。短冊板８及び短冊板先端９は、Ｕ字レール７の下側に取り付けられている。短冊板先端９の全ての丸穴には、塞ぎ棒１０が１本ずつ挿入されている。短冊板先端９における丸穴の配置により、塞ぎ棒１０は、短冊板８と干渉しない。このため、塞ぎ棒１０は、左右に移動可能に短冊板先端９に支持されている。つまり、塞ぎ棒１０は、短冊板８及び短冊板先端９の移動方向と平行に移動可能である。塞ぎ棒１０は、丸みを帯びた一端をＵ字レール７の中央部の側に向けて丸穴に挿入されている。なお、塞ぎ棒１０又は丸穴には、塞ぎ棒１０が丸穴から脱落することを防止する処理がなされている。
【００３１】
図９は、本実施の形態における閉塞装置による開放動作を示す概略図である。図９では、上側に正面図、下側に平面図が示されている。図９における矢印は、短冊板８、短冊板先端９及び塞ぎ棒１０の移動方向を示している。
【００３２】
短冊板８及び短冊板先端９は、Ｕ字レール７の中央部から遠ざかる向きに移動される。塞ぎ棒１０は、当該塞ぎ棒１０を支持する短冊板先端９と同一の方向に移動される。これにより、短冊板８、短冊板先端９及び塞ぎ棒１０は、上下方向から見て開口部２に重ならない位置に移動される。このとき、短冊板８は、Ｕ字レール７の垂直部７ｂに沿った位置まで移動される。このような動作により、閉塞装置は、上下方向から見て開口部２全体と重なるケーブルカバーユニット４の下部を開放する。
【００３３】
図１０は、本実施の形態における閉塞装置による閉塞動作を示す概略図である。図１０では、上側に正面図、下側に平面図が示されている。図１０における矢印は、短冊板８、短冊板先端９及び塞ぎ棒１０の移動方向を示している。
【００３４】
図１０は、図９に示す開放動作の後に複数のケーブル３を敷設した状態を示している。複数のケーブル３は、互いに接するように束ねられている。平面図において、ケーブル３は、２本、３本又は４本が左右方向に隣接している。ケーブル３の断面は、円形状を呈している。このため、束ねられたケーブル３全体の断面形状は、凹凸を持つ。
【００３５】
短冊板８及び短冊板先端９は、Ｕ字レール７の中央部に近づく向きに移動される。これにより、短冊板８及び短冊板先端９は、上下方向から見て開口部２に重なる位置に移動される。このとき、Ｕ字レール７の中央部の左側に設けられた短冊板８及び短冊板先端９は、開口部２の中央よりも左側の範囲に重なる位置に移動される。Ｕ字レール７の中央部の右側に設けられた短冊板８及び短冊板先端９は、開口部２の中央よりも右側の範囲に重なる位置に移動される。
【００３６】
塞ぎ棒１０は、当該塞ぎ棒１０を支持する短冊板先端９と同一の方向に移動される。このとき、ケーブル３に対向する塞ぎ棒１０は、丸みを帯びた一端でケーブル３に接する。ケーブル３に接した塞ぎ棒１０は、その位置で停止する。例えば、左右方向に２本隣接したケーブル３に対向した塞ぎ棒１０は、左右方向に４本隣接したケーブル３に対向した塞ぎ棒１０よりもＵ字レール７の中央部の側で停止する。つまり、ケーブル３に対向する塞ぎ棒１０は、束ねられたケーブル３の凹凸に沿って停止する。一方、ケーブル３に対向していない塞ぎ棒１０は、対向する塞ぎ棒１０と接して停止する。これにより、塞ぎ棒１０は、上下方向から見て開口部２に重なる位置に移動される。このような動作により、閉塞装置は、上下方向から見て開口部２全体と重なるケーブルカバーユニット４の下部を閉塞する。なお、塞ぎ棒１０が停止しても、短冊板先端９は、ストッパーが長穴の端部に当たるまでＵ字レール７の中央部の側に移動できる。
【００３７】
本実施の形態では、短冊板８及び短冊板先端９は、開口部２の開口方向から見て開口部２に重なる位置に移動可能である。無数の塞ぎ棒１０は、移動可能に短冊板先端９の１つに支持されている。無数の塞ぎ棒１０は、短冊板８及び短冊板先端９が開口部２に重なる位置に移動した状態で、開口部２の開口方向から見て、開口部２の縁部又は短冊板先端９と開口部２を通るケーブル３との間の空間に重なる位置に移動可能である。このため、無数の塞ぎ棒１０によってケーブル３と短冊板先端９との間の小さな隙間を塞ぐことができる。その結果、短冊体だけを用いる場合と比較して、より丁寧に開口部２を塞ぐことができる。
【００３８】
本実施の形態では、一方のＵ字レール７は、開口部２の開口方向から見て開口部２の一方の長辺に沿って設けられ、短冊体の一端部を移動可能に支持している。他方のＵ字レール７は、開口部２の開口方向から見て開口部２の他方の長辺に沿って設けられ、短冊体の他端部を移動可能に支持している。他方のＵ字レール７は、一方のＵ字レール７と平行に対向している。短冊体は、２つのＵ字レール７に沿って並んで配置され、２つのＵ字レール７に沿って移動可能である。このため、本実施の形態によれば、個々の短冊体に対応した移動機構を設ける必要がない。その結果、簡単な構成で複数の短冊体を移動させることができる。
【００３９】
本実施の形態では、閉塞装置は、Ｕ字レール７の中央部の左側に設けられた複数の短冊体と、Ｕ字レール７の中央部の右側に設けられた複数の短冊体とを備えている。左側の短冊体は、２つのＵ字レール７の左側部分に支持されている。左側の短冊体は、開口部２の開口方向から見て、開口部２の中央よりも左側の範囲に重なる位置に移動可能である。右側の短冊体は、２つのＵ字レール７の右側部分に支持されている。右側の短冊体は、開口部２の開口方向から見て、開口部２の中央を挟んで左側の短冊体と平行に対向している。右側の短冊体は、開口部２の開口方向から見て、開口部２の中央よりも右側の範囲に重なる位置に移動可能である。閉塞装置は、左側の短冊体に支持された棒状体と、右側の短冊体に支持された棒状体とを備えている。このため、閉塞装置は、ケーブル３を左右から挟むようにして開口部２を塞ぐ。その結果、開口部２においてケーブル３が敷設される位置及びケーブル３による占有面積に関係なく隙間を塞ぐことができる。
【００４０】
本実施の形態では、短冊板先端９は、Ｕ字レール７の中央部の左右に１枚ずつ設けられている。つまり、Ｕ字レール７の中央部の左側に設けられた棒状体の全ては、左側の短冊体のうち１つのみに支持されている。また、Ｕ字レール７の中央部の右側に設けられた棒状体の全ては、右側の短冊体のうち１つのみに支持されている。このため、棒状体を支持できる短冊体を多数設ける必要がない。その結果、簡単な構成で無数の棒状体を移動させることができる。
【００４１】
本実施の形態では、短冊体は、Ｕ字レール７に支持されている。Ｕ字レール７は、ケーブルカバーユニット４に取り付けられている。ケーブルカバーユニット４は、開口部２の開口方向から見てケーブル３の周囲を覆うように筐体１に取り付けられている。このため、閉塞装置は、既設の筐体１に対して後から適用することができる。
【００４２】
本実施の形態では、短冊体及び棒状体は、導体で形成されている。このため、電子装置からの電磁ノイズの放射及び外部からのノイズによる電子装置に対する影響を抑制することができる。
【００４３】
本実施の形態では、塞ぎ棒１０は、丸みを帯びた一端でケーブル３に接する。このため、ケーブル３を傷つけることなく開口部２を塞ぐことができる。
【００４４】
実施の形態２．
本実施の形態は、ケーブルカバーユニット４を用いない点で実施の形態１と相違する。以下、実施の形態１と同一又は相当する部分には同一の符号を付して説明を省略する。
【００４５】
図１１は、本実施の形態における閉塞装置が適用される筐体１を示す三面図である。図１１では、左上側に正面図、右上側に側面図、左下側に平面図が示されている。図１１の正面図は、側面図におけるＡ−Ａ断面を示している。図１１は、筐体１にケーブルカバーユニット４が取り付けられていない点を除いて、図１と同様である。
【００４６】
図１２は、本実施の形態における閉塞装置を示す三面図である。図１２では、左上側に正面図、右上側に側面図、左下側に平面図が示されている。図１２の正面図は、側面図におけるＡ−Ａ断面を示している。図１２の側面図は、正面図におけるＢ−Ｂ断面を示している。
【００４７】
Ｕ字レール７は、筐体１の内側に取り付けられている。Ｕ字レール７は、筐体１の左側面及び右側面で固定されている。２本のＵ字レール７は、開口部２の縁部のうち２つの長辺に沿って取り付けられている。図１２におけるＣ部を拡大した詳細図は、図８と同様である。
【００４８】
本実施の形態では、閉塞装置は、筐体１に直接取り付けられている。このため、ケーブルカバーユニット４を設ける必要がない。その結果、より簡単な構成で筐体１の開口部２を塞ぐことができる。
【００４９】
本発明は、開口部２が筐体１の底面以外に形成されている場合であっても適用可能である。つまり、開口部２の開口方向は、上下方向でなくともよい。
【符号の説明】
【００５０】
１  筐体、２  開口部、３  ケーブル、４  ケーブルカバーユニット、５  ケーブルカバー本体、６  前カバー、７  Ｕ字レール、７ａ  水平部、７ｂ  垂直部、８  短冊板、９  短冊板先端、１０  塞ぎ棒
【図１】
2015122436.tif 000003
【図２】
2015122436.tif 000004
【図３】
2015122436.tif 000005
【図４】
2015122436.tif 000006
【図５】
2015122436.tif 000007
【図６】
2015122436.tif 000008
【図７】
2015122436.tif 000009
【図８】
2015122436.tif 000010
【図９】
2015122436.tif 000011
【図１０】
2015122436.tif 000012
【図１１】
2015122436.tif 000013
【図１２】
2015122436.tif 000014